(57)【要約】      （修正有）【課題】背筋を伸ばしたままで首だけを前や横に傾ける姿勢、ベッドに寝た状態、自力での体位変換の難しい人の洗髪やカットの際、衣服内への洗髪水やカットした髪の侵入を防ぐことができるシャンプークロスを提供する。【解決手段】本体シートＡを首中心に巻きつけゴム入り立ち襟４のホック５、６を留め、ゴム７を首の太さに合わせて絞り、ストッパー８で固定、面ファスナ９と１０を合わせ、本体左肩口のホック２ａと３ａ、２ｂと３ｂの２カ所を留めることにより、シートの両肩面・背中面・両側面全体が内側に向かって約６０度せり上がり、えりまき形状へと変形する。これにより、洗髪水が首の後ろや両サイドから流れ出ないようになる。延長シートを本体シートのホック１９ａ〜ｃで留めるとシートの延長ができる。【選択図】図１
0003219530.tif 000002
【実用新案登録請求の範囲】
【請求項１】
（１）防水性の布と布の間にクッション材を挟んだ３層構造のシートを縦の長さ約８５ｃｍ、横の長さ約７０ｃｍの長方形に裁断し、その上辺の長さの中心点（以下Ａ点とする）から下辺に向かって直角に８５ｃｍおろした点（以下Ｂ点とする）、Ａ点から下辺に向かって垂直に３５ｃｍおろした点を基点とし、右辺へ向かって垂直に約３５ｃｍ伸ばした点（以下Ｃ点とする）、又左辺に向かって垂直に約３５ｃｍ伸ばした点（以下Ｄ点とする）、この長方形のシートのＡ点・Ｂ点・Ｃ点・Ｄ点を通過する左右対称になる楕円形にシートを切断、更にその基点から半径約７ｃｍの円形に切断し、続きその基点から右角度約２０度から約１１０度の部分をＶの字型に切断したシート（以下Ａシートとする）、
（２）首部に当たる幅約３ｃｍ長さ約４０ｃｍの防水生地のストッパー付のゴム入り立ち襟、
（３）Ａシートの円形部分にゴム入り立ち襟を結合縫製して形成（以下本体Ａシートとする）、
（４）首を中心にシャーリング襟を巻きつけてホックで首部に合わせて留めて固定することで、Ａシートの両肩・背中・両側面部分全体が内側に向かってせり上がり、襟巻形状へと変形、
（５）Ａシート先端部にホックで留めることができるひし形の延長シート（以下Ｂシートとする）、
以上の（１）〜（５）の構成からなるえりまきシャン布。
【請求項２】
首に密着する幅約３ｃｍ長さ約４０ｃｍのゴム入りの立ち襟をホックで留め、首の太さに合わせて絞まり具合を調整し、ストッパーで留めることにより、首回りの太さや首の変形にも拘らず、首筋に密着し、洗髪水やカットした髪が衣服内に侵入することを防ぐことを特徴とする請求項１に記載するえりまきシャン布。
【請求項３】
首を中心にシートを巻きつけゴム入り立ち襟のホックを留め、肩口のマジックシートとホックを留めることにより、Ａシートの両肩・背中・側面部分全体が内側に向かってせり上がり、約６０度のえりまき形状へ変形し、使用した洗髪水が首の後ろや両サイドに流れ出ないようになっていることを特徴とする請求項１に記載するえりまきシャン布。
【請求項４】
えりまき形状へ変形した肩・背中・側面の縁から洗髪水を流し込む方向に向かって幾本もの線状溝があり、洗髪水の流れをスムーズにする。又、この形状によりカット使用の際も髪を飛散させない効果があることを特徴とする請求項１に記載するえりまきシャン布。
【請求項５】
Ａシートの先端部分に結合縫製されたループにフック付の吸盤をひっかけてシャンプーボールの底に吸着させることで効率的に洗髪作業をできることを特徴とする請求項１に記載するえりまきシャン布。
【請求項６】
Ａシート先端部へ縦約５０ｃｍ、横約４６センチのひし形のＢシートをホックで留めるとシートの長さを延長することができる。又Ｂシート先端の両端ホックを留めることで排水を絞ることもできる。この形状により、どんな状況でも洗髪作業が可能になることを特徴とする請求項１に記載するえりまきシャン布。
【考案の詳細な説明】
【技術分野】
【０００１】本考案は、理・美容店や病院、福祉施設など美容業界や介護業界において、洗髪、白髪染めなどの際、健常者がとれる背面姿勢や前かがみの姿勢に使用するシャンプークロスはあるが、身体的な問題により、背筋を丸める前傾姿勢や頸椎部分をシャンプーボールのふちに乗せる背面姿勢がとれない方が多く存在する。又ベッドに寝たきりの状態や自力で体位変換が出来ない人などに対応できるシャンプークロスがないのが現状です。高齢化が進む社会において、身体的の問題を抱える方に対応でき、洗髪施設の無い場所でも使用できる美容クロスが必要である。本考案は、どの様な状況であっても、サービスを受ける方の負担を軽減できるえりまきシャン布に関するものである。
【背景技術】
【０００２】  従来のシャンプークロスは、防水性の一枚の化学繊維を使い、首に巻きつけ、襟元をマジックテープで留めるような単純な形状のものが一般的である。一部介護用と称してクロスの外周に円形の裾にワイヤーを縫製し、かぶるように着用するものがあるが、一定形状を保つだけで、洗髪水の水漏れを解消できず、自力による体位変換の出来ない方への対応ができない。また、首元をマジックテープで留める形式は、使用するにつれてマジックテープに髪の毛が付着して留める力が弱まる欠点もあり、首元をしっかりフィットさせる必要のある様々な体位での使用には適さない。
【先行技術文献】
【非特許文献】
【０００３】
【非特許文献１】社団法人ジミー国際理美容福祉アカデミー社のＨＰに掲載されている介護用ワイヤー内臓のシャンプーケアクロス
【非特許文献２】滝川株式会社出版、理・美容店向け商品カタログビューティギャラリー２８巻２０１３−２０１４版掲載  ○株式会社メイホー製バックシャンプークロス  ○リファレンス社製ワールド介護用ＢＢフロントシャンプークロス  ○株式会社丸福商会製エクセルバックシャンプークロス
【０００４】
【非特許文献１】滝川株式会社出版、理・美容店向け商品カタログビューティギャラリー２８巻２０１３−２０１４版掲載  ○名和商事株式会社製シャンプーボールクッション各種
【考案の概要】
【考案が解決しようとする課題】
【０００５】この考案は、若い年齢の人材のみならず高齢者でさえ介護や介助に携わることが必要とされる現状、身体の自由が利かない高齢者や身体障害者の髪のカットや洗髪などの基本的な身だしなみを整える行為において、携わる方々の肉体的及び精神的な負担を軽減する効果がある。
【課題を解決するための手段】
【０００６】この考案は、請求項１から請求項６に記載する素材や形状、構造、縫製の方法によって、自力での体位変換が難しい方々の洗髪や髪のカットに対応できる機能を持たせることで問題を解決している。
【考案の効果】
【０００７】本考案は、背筋を伸ばしたままで首だけを前や横に傾ける姿勢、ベッドに寝た状態、健常者と異なり、自力での体位変換の難しい人の洗髪やカットに使用しても、衣服内への洗髪水やカットした髪の侵入や飛散を防ぐことができる。このことによって、施術する人やサービスを受ける人、双方の肉体的及び精神的な負担を軽減する。更に在宅介護においては、美容業者に依頼することなく、家族が洗髪や髪のカットが容易に出来ることで経済的負担の軽減も図れる。
【図面の簡単な説明】
【０００８】
【図１】本案件えりまきシャン布本体Ａシート正面図
【図２】本案件えりまきシャン布延長Ｂシート正面図
【図３】本案件えりまきシャン布本体ＡシートにＢ延長シートを結合した正面図
【図４】本案件をシャンプーボールで前屈みに使用する断面図
【図５】本案件をシャンプーボールで前屈みに使用する右斜面図
【図６】本案件をシャンプーボールで背面使用する断面図
【図７】本案件を自力で体位変換の出来ない方が背面使用する断面図
【図８】本案件をシャンプーボールで背面使用する右斜面図
【図９】本案件をベッドで使用する右斜面図
【考案を実施するための形態】
【０００９】本考案のえりまきシャン布は、防水性の布と布の間にクッション材を挟んだ３層構造のシートを縦の長さ約８５ｃｍ、横の長さ約７０ｃｍの長方形に裁断し、その上辺の中心点から底辺に向かって直角に約３５ｃｍの点を基点として上辺に向かって約３５ｃｍ、下辺向かって約５５ｃｍ、左右辺に向かって約３５ｃｍの長さの楕円形に切断、更にその基点から半径約７ｃｍの円形に切断し、続きその基点から右角度約２０度から約１１０度の部分をＶの字型に切断したシートの円形部分を除いたすべての縁をパイピング縫製し、首部に当たる円形部分に幅約３ｃｍ長さ約４０ｃｍのゴム入り立ち襟を結合縫製して形成。本案件の着用方法は、首を中心にゴム入りの立ち襟を巻きつけてホックで留め、首の太さに合わせてゴムを絞り、ストッパーで固定し、左肩口の２カ所のホックを留めることで、両肩面・背中面・両側面部分全体が内側に向かって約６０度せり上がり、襟巻形状へと変形。シート先端部に結合縫製されたループにフック付の吸盤を引っかけてシャンプーボール底に吸着させることで作業効率を計れる。又シート先端部分の両サイドに取り付けられたホックにひし形の補助シートを結合させることでシートが延長され、補助シートの先端部の両端ホックを留めることで排水を絞ることができる。この形状により、洗髪水を首の後ろや両サイドから漏らさず、どの様な形状の洗髪器にも対応できる。又カットの際においても、カットした髪を飛散させない役割を果たすことができるえりまきシャン布である。
【実施例】
【００１０】以下、図面に従って実施例を説明する。
【実施例１】図４は、充分な前屈みが出来ない人に使用した場合の断面図である。市販の一般的なシャンプークロスは、シャンプーボールの中に全頭部が入らないと洗髪水が外に流れ出してしまうことになる。しかし、本考案を使用することでシャンプーボールへ洗髪水がスムーズに流し込むことができることを示した使用図である。
【実施例２】図５は、前傾姿勢使用した時の使用図である。
【実施例３】図６は、背面姿勢で使用した時の断面図である。
【実施例４】図７は、背面姿勢で使用した際、首を後ろに傾けられず、また自力で身体を持ち上げシャンプーボールのふちまで頭部を持ち上げられない姿勢での断面図である。
【実施例５】図８は、本考案を背面姿勢で使用した時の使用図である。
【実施例６】図９は、本考案を寝たきりの人に使用した使用図である。
【産業上の利用可能性】
【００１１】理・美容室、老人ホーム、ディサービス、グループホームなどの福祉施設、病院、在宅などの分野で利用が可能である。
【符号の説明】
【００１２】１  本体シートＡ
２ａ  肩口ホックオス
２ｂ  肩口ホックオス
３ａ  肩口ホックメス
３ａ  肩口ホックメス
４  ゴム入り立ち襟
５  えりホックオス
６  えりホックメス
７  えりゴム
８  えりストッパー
９  マジックテープオス
１０  マジックテープメス
１１  ループ
１２  線状溝
１３  延長シートＢ
１４ａ  本体結合用ホックメス
１４ｂ  本体結合用ホックメス
１４ｃ  本体結合用ホックメス
１５  排水絞用ホックメスａ
１６  排水絞用ホックメスｂ
１７  排水絞用ホックオスｃ
１８  排水絞用ホックオスｄ
１９ａ  延長シート結合用ホックオス
１９ｂ  延長シート結合用ホックオス
１９ｃ  延長シート結合用ホックオス
【図１】
0003219530.tif 000003
【図２】
0003219530.tif 000004
【図３】
0003219530.tif 000005
【図４】
0003219530.tif 000006
【図５】
0003219530.tif 000007
【図６】
0003219530.tif 000008
【図７】
0003219530.tif 000009
【図８】
0003219530.tif 000010
【図９】
0003219530.tif 000011
【手続補正書】
【提出日】平成30年9月27日(2018.9.27)
【手続補正１】
【補正対象書類名】実用新案登録請求の範囲
【補正対象項目名】全文
【補正方法】変更
【補正の内容】
【実用新案登録請求の範囲】
【請求項１】
（１）防水性の布と布の間にクッション材を挟んだ３層構造のシートを縦の長さ約８５ｃｍ、横の長さ約７０ｃｍの長方形に裁断し、その上辺の長さの中心点（以下Ａ点とする）から下辺に向かって直角に８５ｃｍおろした点（以下Ｂ点とする）、Ａ点から下辺に向かって垂直に３５ｃｍおろした点を基点とし、右辺へ向かって垂直に約３５ｃｍ伸ばした点（以下Ｃ点とする）、又左辺に向かって垂直に約３５ｃｍ伸ばした点（以下Ｄ点とする）、この長方形のシートのＡ点・Ｂ点・Ｃ点・Ｄ点を通過する左右対称になる楕円形にシートを切断、更にその基点から半径約７ｃｍの円形に切断し、続きその基点から右角度約２０度から約１１０度の部分をＶの字型に切断したえりまき形状を成形するための基本のシート（以下Ａシートとする）、（２）幅約３ｃｍ長さ約４０ｃｍの防水生地の両端の縁に取り付けられたホックのオスとメスで結合できる伸縮性のあるゴム入りストッパー付立ち襟、（３）Ａシートの円形部分にゴム入りストッパー付立ち襟を結合縫製して形成するシートの襟を首中心に巻きつけ、ホックを留めて固定し、Ａシートの肩口部分に付けられたホックと面ファスナーを留めて装着完了することで、本体シートの後部や両側面部の端が内側に向かって約６０度に立ち上がり、えりまき形状へと変形する本体シート、（以下本体Ａシートとする）、（４）本体Ａシート先端部に取り付けつけられる縦約５０ｃｍ横約４６ｃｍのひし形の延長用シートで、先端に向かう両辺の縁の２カ所に取り付けられた左右ホックのオスとメスを結合することにより、じょうろ形状に変形し、排水を絞ることができる延長用シート（以下Ｂシートとする）以上の（１）〜（４）の構成からなることを特徴としたシャンプークロス。
【請求項２】
幅約３ｃｍ、長さ約４０ｃｍの防水生地のゴム入り立ち襟の両端の縁に取り付けられたホックのオスとメスを留め、首の太さに合わせてゴムを絞り、ストッパーで固定することにより、首回りの太さや首の変形にも拘らず、首筋に密着し、洗髪水やカットした髪が衣服内に侵入することを防ぐことを特徴とする請求項１に記載するシャンプークロス。
【請求項３】
本体Ａシートを首中心に巻きつけ、ゴム入り立ち襟のホックを留め、重なるシート肩口部分のホックと面ファスナーのオス面とメス面を結合することにより、本体Ａシート装着時の後部や両側面部の端が内側に向かって立ち上がり、約６０度のえりまき形状へ変形し、使用した洗髪水が首の後ろや両サイドに流れ出ないようになっていることを特徴とする請求項１に記載するシャンプークロス。
【請求項４】
装着時のえりまき形状へ変形した本体Ａシートの後部や両側面部の縁から洗髪水を流し込む方向に向かって幾本もの線状溝があり、洗髪水の流れをスムーズにし、カット使用の際においても髪を飛散させない効果があることを特徴とする請求項１に記載するシャンプークロス。
【請求項５】
本体Ａシートの先端部分に結合縫製されたループにフック付吸盤のフックをひっかけ、吸盤をシャンプーボールの底に吸着させ、固定することで効率的に洗髪作業ができることを特徴とする請求項１に記載するシャンプークロス。
【請求項６】
縦約５０ｃｍ横約４６ｃｍのひし形Ｂシートのホックのメスを本体Ａシート先端の中心点から垂直に上方へ伸びる約１０ｃｍの点とそれを基点として両端へ向かって平行に伸びた縁の点の３カ所部分に取り付けられたホックのオスへ結合することにより、シートの長さを延長することができ、Ｂシート先端に向かう両辺の縁のホックの左右２カ所部分のオスとメスを留めることで、Ｂシートがじょうろ形状に変形して排水を絞れることを特徴とする請求項１に記載するシャンプークロス。
【手続補正３】
【補正対象書類名】明細書
【補正対象項目名】０００８
【補正方法】変更
【補正の内容】
【０００８】
【図１】本案件シャンプークロス本体Ａシート正面図
【図２】本案件シャンプークロス延長Ｂシート正面図
【図３】本案件シャンプークロス本体ＡシートにＢ延長シートを結合した正面図
【図４】本案件をシャンプーボールで前屈みに使用する断面図
【図５】本案件をシャンプーボールで前屈みに使用する右斜面図
【図６】本案件をシャンプーボールで背面使用する断面図
【図７】本案件を自力で体位変換の出来ない方が背面使用する断面図
【図８】本案件をシャンプーボールで背面使用する右斜面図
【図９】本案件をベッドで使用する右斜面図